(57)【要約】【課題】プロジェクタによる投写表示を容易に制御することができる投写表示システム、データ出力装置、および投写表示制御プログラムを提供すること。【解決手段】投写表示システムは、プロジェクタと、プリンタと、プリンタドライバがインストールされたホストコンピュータとを備える。プリンタドライバの印刷設定画面２００に含まれるプリンタ選択欄２１０には、プロジェクタをデータの出力先に指定する選択肢２１１が含まれている。ユーザーが、印刷設定画面２００に従ってマウスやキーボードを操作することにより選択肢２１１が選択された場合、プリンタドライバは画像データをプロジェクタに出力する。【選択図】図２
2009146093.tif 000002
【特許請求の範囲】
【請求項１】
画像データを出力するデータ出力装置と、前記画像データに基づく画像を投写するプロジェクタと、を備えた投写表示システムであって、
前記データ出力装置は、
プリンタドライバの印刷設定画面を表示する表示部と、
前記印刷設定画面に従う入力操作を受けるための操作部と、を備え、
前記印刷設定画面は、前記プロジェクタをデータの出力先に指定する選択肢を含み、
前記操作部への入力操作により前記選択肢が選択された場合、前記プロジェクタに前記画像データを出力することを特徴とする投写表示システム。
【請求項２】
請求項１に記載の投写表示システムにおいて、
前記データ出力装置が出力する画像データは、ベクトル形式で記述されたデータであり、
前記プロジェクタは、前記データ出力装置から受信した画像データの記述を解釈して、解釈結果に基づく画像を投写することを特徴とする投写表示システム。
【請求項３】
プロジェクタとデータ通信可能に接続されるデータ出力装置であって、
プリンタドライバの印刷設定画面を表示する表示部と、
前記印刷設定画面に従う操作を受けるための操作部と、を備え、
前記印刷設定画面は、前記プロジェクタをデータの出力先に指定する選択肢を含み、
前記操作部への入力操作により前記選択肢が選択された場合、前記プロジェクタに投写表示用の画像データを出力することを特徴とするデータ出力装置。
【請求項４】
請求項３に記載のデータ出力装置において、
前記印刷設定画面には、プリンタを前記画像データの出力先に指定する選択肢、および前記プロジェクタを前記画像データの出力先に指定する選択肢が一覧に表示されることを特徴とするデータ出力装置。
【請求項５】
プロジェクタによる投写表示を制御するための投写表示制御プログラムであって、
コンピュータに、
表示部に表示されるプリンタドライバの印刷設定画面に、前記プロジェクタを画像データの出力先に指定する選択肢を追加する機能と、
前記印刷設定画面に従って操作部が受ける操作により前記選択肢が選択された場合、前記プロジェクタに画像データを出力する機能と、を実現させることを特徴とする投写表示制御プログラム。
【発明の詳細な説明】
【技術分野】
【０００１】
プロジェクタによる投写表示を行う投写表示システム、データ出力装置、および投写表示制御プログラムに関する。
【背景技術】
【０００２】
従来、パーソナルコンピュータからネットワークを介してプロジェクタに投写表示用のデータを出力するための専用ソフトウェアが知られている。ユーザーは、このソフトウェアを用いてプロジェクタに投写データを出力することにより、パーソナルコンピュータからネットワークを介してプロジェクタによる投写表示を制御することができる（例えば、非特許文献１参照）。
【０００３】
また、特許文献１には、パーソナルコンピュータやワードプロセッサからプリンタ用印字信号の入力を受けて、印字信号に従う画像を表示可能としたディスプレイ装置が開示されている。
【０００４】
【特許文献１】特開平５−１９７００号公報（第４ページ、段落（００２８）〜（００３０）参照）
【非特許文献１】“ＥＭＰ  ＮＳ  Ｃｏｎｎｅｃｔｉｏｎ  操作ガイド”、セイコーエプソン、インターネット  <ＵＲＬ：http://www2.epson.jp/download/elp/NSCV220_guide.pdf>
【発明の開示】
【発明が解決しようとする課題】
【０００５】
しかしながら、非特許文献１に記載のソフトウェアは、プロジェクタ制御用の専用ソフトウェアであるため、プロジェクタによる投写表示を自在に制御するには、ユーザーは、このソフトウェアの操作方法を新たに習得する必要があった。このため、専用ソフトウェアの操作方法やプロジェクタ自体の操作方法に習熟していないユーザーにとっては、プロジェクタによる投写表示を制御することが困難であった。
【０００６】
また、特許文献１には、印字信号を送信する際にパーソナルコンピュータ側で行われる操作について記載されておらず、ユーザーにとって分かり易い操作体系を実現するものではなかった。
【課題を解決するための手段】
【０００７】
本発明は、上述の課題の少なくとも一部を解決するためになされたものであり、以下の形態または適用例として実現することが可能である。
【０００８】
［適用例１］画像データを出力するデータ出力装置と、前記画像データに基づく画像を投写するプロジェクタと、を備えた投写表示システムであって、前記データ出力装置は、プリンタドライバの印刷設定画面を表示する表示部と、前記印刷設定画面に従う入力操作を受けるための操作部と、を備え、前記印刷設定画面は、前記プロジェクタをデータの出力先に指定する選択肢を含み、前記操作部への入力操作により前記選択肢が選択された場合、前記プロジェクタに前記画像データを出力することを特徴とする投写表示システム。
【０００９】
この構成によれば、表示部に表示されるプリンタドライバの印刷設定画面には、プロジェクタを画像データの出力先に指定する選択肢が含まれるので、ユーザーは、操作部を操作して、プリンタドライバの印刷設定画面から選択肢を選択することにより、プロジェクタに画像を投写表示させることができる。プリンタドライバの印刷設定画面はその使い方が広く知られたユーザインターフェイスであり、ユーザーは、プリンタドライバのユーザインターフェイスからプロジェクタによる投写表示を制御することができる。したがって、分かり易い操作体系を実現することができ、プロジェクタの操作や非特許文献１に記載の専用ソフトウェアの操作に習熟していないユーザーであっても、プロジェクタによる投写表示を容易に制御することができる。
【００１０】
［適用例２］上記投写表示システムにおいて、前記データ出力装置が出力する画像データは、ベクトル形式で記述されたデータであり、前記プロジェクタは、前記データ出力装置から受信した画像データの記述を解釈して、解釈結果に基づく画像を投写することを特徴とする投写表示システム。
【００１１】
この構成によれば、ベクトル形式で記述されたデータの解釈結果に基づく画像が投写表示されるので、ジャギーを抑えた高画質な画像を表示することができる。
【００１２】
［適用例３］プロジェクタとデータ通信可能に接続されるデータ出力装置であって、プリンタドライバの印刷設定画面を表示する表示部と、前記印刷設定画面に従う操作を受けるための操作部と、を備え、前記印刷設定画面は、前記プロジェクタをデータの出力先に指定する選択肢を含み、前記操作部への入力操作により前記選択肢が選択された場合、前記プロジェクタに投写表示用の画像データを出力することを特徴とするデータ出力装置。
【００１３】
この構成によれば、プリンタドライバの印刷設定画面に、プロジェクタを画像データの出力先に指定する選択肢が表示されるので、ユーザーは、プロジェクタに画像を投写表示させる操作を印刷設定画面に従って容易に行うことができる。
【００１４】
［適用例４］上記データ出力装置において、前記印刷設定画面には、プリンタを前記画像データの出力先に指定する選択肢、および前記プロジェクタを前記画像データの出力先に指定する選択肢が一覧に表示されることを特徴とするデータ出力装置。
【００１５】
この構成によれば、プリンタを画像データの出力先に指定する選択肢とともに、プロジェクタを画像データの出力先に指定する選択肢が一覧に表示されるので、印刷設定画面においてプリンタを画像データの出力先に指定する際の操作と同様にして、プロジェクタを画像データの出力先に指定することができる。したがって、ユーザーは、プリンタによる印刷と同様の操作方法によって、プロジェクタによる投写表示を制御することができる。
【００１６】
［適用例５］プロジェクタによる投写表示を制御するための投写表示制御プログラムであって、コンピュータに、表示部に表示されるプリンタドライバの印刷設定画面に、前記プロジェクタを画像データの出力先に指定する選択肢を追加する機能と、前記印刷設定画面に従って操作部が受ける操作により前記選択肢が選択された場合、前記プロジェクタに画像データを出力する機能と、を実現させることを特徴とする投写表示制御プログラム。
【００１７】
この構成によれば、プロジェクタを画像データの出力先に指定する選択肢が、プリンタドライバの印刷設定画面に含まれて表示されるので、ユーザーは、プロジェクタに画像を投写表示させる操作を容易に行うことができる。
【発明を実施するための最良の形態】
【００１８】
以下、本発明の実施の形態について実施例に基づいて説明する。
【００１９】
図１は、本実施例に係る投写表示システムの構成を示した図である。図１に示すように、投写表示システム１は、プロジェクタ２と、プリンタ３と、プロジェクタ２およびプリンタ３の動作を制御するホストコンピュータ（データ出力装置）４と、を備えている。なお、プロジェクタ２、プリンタ３、およびホストコンピュータ４は、ネットワーク５を介して相互にデータ通信可能になっている。
【００２０】
まず、ホストコンピュータ４について説明する。ホストコンピュータ４は、例えば、汎用のパーソナルコンピュータであり、ＣＰＵ４０と、ＲＯＭ４１と、ＲＡＭ４２と、ハードディスク（以下、「ＨＤ」という）４３と、ビデオインターフェイス（以下、「ビデオＩ／Ｆ」という）４４と、入力インターフェイス（以下、「入力Ｉ／Ｆ」という）４５と、ネットワークインターフェイス（以下、「ネットワークＩ／Ｆ」という）４６と、を備えている。
【００２１】
ビデオＩ／Ｆ４４にはディスプレイ（表示部）４７が接続されており、入力Ｉ／Ｆ４５にはマウス４８やキーボード４９などの入力機器（操作部）が接続されている。ネットワークＩ／Ｆ４６は、ネットワーク５と接続するインターフェイス部分であり、ホストコンピュータ４は、ネットワークＩ／Ｆ４６を介してプロジェクタ２およびプリンタ３のそれぞれと相互にデータ通信可能になっている。
【００２２】
ＨＤ４３には、アプリケーションやプリンタドライバのプログラム、およびプロジェクタ２による表示をホストコンピュータ４から制御するための投写表示制御プログラムＰが予め記録されている。なお、ＨＤ４３に記憶されたこれらのプログラムは、記録媒体に記録された形態でホストコンピュータ４に供給されたものである。記録媒体の例としては、フレキシブルディスクやＣＤ−ＲＯＭ、ＤＶＤ−ＲＯＭなどの光ディスク、光磁気ディスク、メモリカード、携帯型ハードディスクなど、コンピュータ読み取り可能な種々の記録媒体が挙げられる。もっとも、ホストコンピュータ４が、電気通信回線を通じてサーバからドライバプログラムをダウンロードすることにより、ＨＤ４３にプログラムを記録するようにしてもよい。
【００２３】
次に、ホストコンピュータ４のソフトウェア構成について説明する。ホストコンピュータ４は、文書作成ソフトウェアやプレゼンテーション用ソフトウェアなどのアプリケーション１００と、プリンタ３による印刷を制御するためのプリンタドライバ１１０と、プロジェクタ２による投写表示をプリンタドライバ１１０に制御させるための投写表示制御ソフトウェア１２０と、を有する。これらのソフトウェア構成は、ＨＤ４３に記憶されたプログラムを、所定のオペレーションシステムの下でＣＰＵ４０が実行することにより機能するものであり、アプリケーション１００はアプリケーションプログラム、プリンタドライバ１１０はプリンタドライバプログラム、投写表示制御ソフトウェア１２０は投写表示制御プログラムＰをＣＰＵ４０が実行することにより機能する。
【００２４】
アプリケーション１００は、キーボード４９やマウス４８へのユーザー操作に従って、テキスト、図形、イメージなどを含む印刷対象の画像データを生成し、プリンタドライバ１１０に受け渡す。プリンタドライバ１１０は、アプリケーション１００から受け取った画像データを、ポストスクリプト（登録商標）などのページ記述言語で記述された画像データに変換し、変換した画像データをプリンタ３に出力する。これにより、プリンタドライバ１１０は、プリンタ３による印刷を制御する。なお、プリンタドライバ１１０によって生成される画像データは、テキスト、図形がベクトル形式で記述される。
【００２５】
また、プリンタドライバ１１０による印刷設定は、ディスプレイ４７に表示される印刷設定画面２００（図２参照）に従って行われる。印刷設定画面２００には、印刷するプリンタを選択するためのプリンタ選択欄２１０や、印刷範囲や部数などの各種設定欄や、印刷実行を指示するための印刷開始ボタン２２０などが含まれており、プリンタ選択欄２１０には、ホストコンピュータ４に接続されたプリンタ名が一覧に表示される。ユーザーによって、プリンタ選択欄２１０からいずれか所望のプリンタ３が選択された状態で、印刷開始ボタン２２０が押下されると、プリンタドライバ１１０は、ページ記述言語で記述された画像データを、選択されたプリンタ３に出力することにより、ユーザーが所望するプリンタに印刷を行わせる。
【００２６】
投写表示制御ソフトウェア１２０は、プリンタドライバ１１０のデータ出力先候補に、プロジェクタ２を追加登録するためのソフトウェアである。投写表示制御ソフトウェア１２０がホストコンピュータ４にインストールされると、オペレーションシステムの管理の下でプロジェクタ２が仮想的なプリンタとして扱われ、図２に示すように、印刷設定画面２００のプリンタ選択欄２１０にプロジェクタの選択肢２１１が追加される。プリンタ選択欄２１０からプロジェクタの選択肢２１１が選択された状態で、印刷開始ボタン２２０が押下されると、プリンタドライバ１１０は、プリンタ３に画像データを出力する場合と同様に、アプリケーション１００から受け取る画像データからページ記述言語で記述された画像データを生成し、選択されたプロジェクタ２に画像データを出力する。
【００２７】
次に、プロジェクタ２について説明する。図３に示すように、プロジェクタ２は、ホストコンピュータ４からの画像データを受信するネットワークＩ／Ｆ２０と、受信した画像データを蓄積する受信バッファ２１と、画像データの記述を解釈して、解釈結果に基づく画像を画像メモリ２３に展開する描画処理部２２と、画像メモリ２３に記憶された画像の表示を制御する制御部２４と、制御部２４の制御を受けて液晶パネル２６を駆動させるパネル駆動部２５と、リモコン２８からの信号を受信するリモコン受信部２７と、を備えている。そして、プロジェクタ２は、液晶パネル２６に表示された画像を、ランプ、投写レンズ（図示なし）によってスクリーンなどに投写することにより、受信した画像データの画像を投写表示する。
【００２８】
また、リモコン２８には、投写表示されるページを切り替えるためのスイッチが備わっている。ホストコンピュータ４から受信した画像データが、複数ページの表示内容を含む場合、描画処理部２２によって各ページの画像が画像メモリ２３に展開され、ユーザーが表示対象とするページを切り替える旨の指示操作をリモコン２８に対して行うと、制御部２４は、リモコン受信部２７を介してページの切り替え指示を受けて、パネル駆動部２５に、該当するページの画像を液晶パネル２６に表示させる。これにより、投写表示される画像のページ切り替えが行われる。
【００２９】
次に、ホストコンピュータ４からプロジェクタ２による投写表示を制御する処理の手順について、図４のフローチャートに従って説明する。
【００３０】
例えば、アプリケーション１００の表示画面において印刷ボタンが選択されると、図４の処理が開始され、プリンタドライバ１１０は、印刷設定画面２００の表示信号をビデオＩ／Ｆ４４を介してディスプレイ４７出力することにより、印刷設定画面２００をディスプレイ４７に表示させる（ステップＳ１０）。
【００３１】
このとき、インストールされた投写表示制御ソフトウェア１２０の働きにより、印刷設定画面２００のプリンタ選択欄２１０には、プリンタの候補に加えて、さらにプロジェクタの選択肢２１１が表示される。ユーザーがマウス４８やキーボード４９を操作して、印刷設定画面２００のプリンタ選択欄２１０からデータの出力先をいずれかの装置に指定した状態で、印刷開始ボタン２２０を選択すると、ステップＳ２０に進む。
【００３２】
ステップＳ２０に処理が進むと、プリンタドライバ１１０は、指定された出力先の装置がプロジェクタであるか否かを判断する。指定された出力先の装置がプロジェクタであれば（ステップＳ２０：Ｙｅｓ）、プリンタドライバ１１０は、ページ記述言語で記述した画像データを生成し、投写表示制御ソフトウェア１２０によって出力先候補に登録されたプロジェクタ２に画像データを出力する（ステップＳ３０）。このとき、画像データを受信したプロジェクタ２は、受信した画像データの内容を投写表示する。
【００３３】
ここで、上述したように、プリンタドライバ１１０により生成される画像データは、図形などのオブジェクトがベクトル形式で表現されているので、プロジェクタ２の描画処理部２２は、受信した画像データのうち、ベクトル形式で表現されたオブジェクトをビットマップ画像に展開して、画像メモリ２３に記憶させる描画処理を行う。そして、パネル駆動部２５が、画像メモリ２３に記憶された画像に従って液晶パネル２６を駆動することにより、ベクトル形式で表現された画像データの表示が行われる。
【００３４】
また、画像データに複数のページが含まれていた場合には、画像データを受信したプロジェクタ２は、画像データの記述を解釈することにより複数ページの画像を画像メモリ２３に展開し、リモコン２８からの指示に従ってページの切り替え制御を行う。
【００３５】
一方、指定された出力先の装置がプリンタであれば（ステップＳ２０：Ｎｏ）、プリンタドライバ１１０は、ページ記述言語で記述した画像データを生成して、指定されたプロジェクタ２に画像データを出力することにより、指定されたプリンタ３による印刷が行われる（ステップＳ４０）。ステップＳ３０またはステップＳ４０において画像データを出力すると、図４の処理を終了する。
【００３６】
以上に説明した投写表示システム１によれば、以下の効果を得ることができる。
【００３７】
（１）ホストコンピュータ４に投写表示制御プログラムＰがインストールされると、プロジェクタ２を画像データの出力先に指定するための選択肢２１１が、プリンタドライバ１１０の印刷設定画面２００に追加表示され、ユーザーは、プリンタドライバ１１０の印刷設定画面２００から選択肢２１１を選択することによってプロジェクタ２による投写表示を制御することができる。プリンタドライバ１１０の印刷設定画面２００はその使い方が広く知られたユーザインターフェイスであるので、プロジェクタの操作に習熟していないユーザーであっても、プロジェクタによる投写表示を容易に制御することができる。すなわち、ユーザーは、プロジェクタ２による投写表示をホストコンピュータ４から制御する操作を、マニュアルなどを読んで操作方法を確認することなく、直感的に行うことができる。
【００３８】
（２）受信した画像データに複数ページの内容が含まれていた場合、リモコン２８から指示されたページの画像が投写表示されるので、ユーザーは、ホストコンピュータ４に対してページの切り替えを指示する操作を行うことなく、リモコン２８に対する簡易な操作で、投写表示されるページを切り替えることができる。
【００３９】
（３）投写表示制御ソフトウェア１２０をホストコンピュータ４にインストールすることにより、オペレーションシステムの管理の下でプロジェクタ２が仮想的なプリンタとして扱われるので、オペレーションシステムの検索機能によってネットワーク上のプロジェクタを検索することが可能である。したがって、プロジェクタ２を含めて、ネットワークに接続された装置の管理を容易に行うことができる。
【００４０】
（４）プロジェクタ２は、ベクトル形式で記述された画像データを投写表示するため、ビットマップ形式の画像データを受信する場合に比べると、高画質な画像を投写表示できる。特に、プロジェクタ２が画像の拡大／縮小機能を備えている場合、画像の拡大／縮小に伴う画質の劣化を抑えた高画質な表示を行うことができる。
【００４１】
以上、実施の形態の一実施例について説明したが、以下の変形例としてもよい。
【００４２】
（変形例１）上記実施例では、投写表示システム１には１つのプロジェクタが含まれていたが、図５に示すように、システムに複数のプロジェクタ２が含まれていてもよい。この場合、複数のプロジェクタ２のそれぞれについての投写表示制御プログラムＰを別々にホストコンピュータ４にインストールすることにより、印刷設定画面２００には、複数のプロジェクタ２のそれぞれについての選択肢が表示されるようになる。ユーザーは、印刷設定画面２００において複数のプロジェクタ２のうちから所望のプロジェクタを選択することにより、所望のプロジェクタに投写表示させることができる。これにより、例えば、２つのプロジェクタ２のそれぞれに対して、同じ内容を表示させる操作や、別々の内容を表示させる操作を印刷設定画面２００から容易に行うことができる。
【００４３】
（変形例２）上記実施例では、液晶パネル２６を用いたプロジェクタ２を例にして説明したが、プロジェクタの表示デバイスとしてはこれに限られることなく、ＤＭＤ（Digital Micromirror Device）を用いたプロジェクタの構成としてもよい。
【００４４】
（変形例３）上記実施例では、ホストコンピュータ４と、プロジェクタ２およびプリンタ３とがネットワーク５を介して接続された構成であったが、ネットワークを介することなく、ホストコンピュータ４とプロジェクタ２、またはホストコンピュータ４とプリンタ３が、ケーブルなどによって直接接続された構成であってもよい。
【図面の簡単な説明】
【００４５】
【図１】投写表示システムの構成を示した図。
【図２】印刷設定画面の一例を示した図。
【図３】プロジェクタの構成を示した図。
【図４】ホストコンピュータが行う処理の手順を示したフローチャート。
【図５】変形例１に係る投写表示システムの構成を示した図。
【符号の説明】
【００４６】
１…投写表示システム、２…プロジェクタ、３…プリンタ、４…データ出力装置としてのホストコンピュータ、５…ネットワーク、２０…ネットワークインターフェイス、２１…受信バッファ、２２…描画処理部、２３…画像メモリ、２４…制御部、２５…パネル駆動部、２６…液晶パネル、２７…リモコン受信部、２８…リモコン、４０…ＣＰＵ、４１…ＲＯＭ、４２…ＲＡＭ、４３…ＨＤ、４４…ビデオインターフェイス、４５…入力インターフェイス、４６…ネットワークインターフェイス、４７…表示部としてのディスプレイ、４８…操作部としてのマウス、４９…操作部としてのキーボード、１００…アプリケーション、１１０…プリンタドライバ、１２０…投写表示制御ソフトウェア、２００…印刷設定画面、２１０…プリンタ選択欄、２１１…プロジェクタの選択肢、２２０…印刷開始ボタン。
【図１】
2009146093.tif 000003
【図２】
2009146093.tif 000004
【図３】
2009146093.tif 000005
【図４】
2009146093.tif 000006
【図５】
2009146093.tif 000007